(57)【要約】【課題】蒸気や霧の吹出口からの水滴の落下を防ぐことができる加湿装置を提供する。【解決手段】加湿装置１Ａは、水Ｗを貯める水槽１２Ａと、水槽１２Ａに貯められた水Ｗを加熱して蒸気Ｖを発生させるヒータ１３Ａとを有した加湿部１０Ａと、加湿部１０Ａで発生された蒸気Ｖが送風される加湿風路１４と、加湿風路１４を送風される蒸気Ｖが吹き出される吹出口グリル１７ｂを備える。加湿風路１４は、吹出口グリル１７ｂの上側にドレンパン１８を備え、加湿風路１４の壁面１４ｂに付着した水滴をドレンパン１８で回収して、吹出口グリル１７ｂから落下させない。【選択図】        図１
2008180469.tif 000002
【特許請求の範囲】
【請求項１】
水槽に貯められた水を水加熱手段により加熱して蒸気を発生させる蒸気加湿手段、または、水槽に貯められた水を超音波振動子により加振して霧を発生させる超音波加湿手段の何れかと、
前記蒸気加湿手段で発生された蒸気または前記超音波加湿手段で発生された霧が送風される加湿風路と、
前記加湿風路を送風される蒸気または霧が吹き出される加湿空気吹出口と、
前記加湿風路を通る蒸気または霧の一部が液化することで、前記加湿風路から前記加湿空気吹出口へ流れる水を回収して機外に排水する水回収手段と
を備えたことを特徴とする加湿装置。
【請求項２】
前記水回収手段は、前記加湿風路の壁面から突出し、水の流れる方向に向いて開口すると共に、回収した水が排水口に流れる溝部を備えた
ことを特徴とする請求項１記載の加湿装置。
【請求項３】
前記水回収手段は、前記加湿風路から送風された蒸気または霧の一部を液化させる水切り風路を有した水切り手段と、
前記水切り風路とつながって前記加湿空気吹出口が形成されると共に、前記水切り手段で発生した水を回収して排水する排水口を有した排水手段とを備えた
ことを特徴とする請求項１記載の加湿装置。
【請求項４】
前記水回収手段は、前記加湿風路から送風された蒸気または霧の一部を液化させる水切り風路を有した水切り手段と、
前記水切り風路とつながって前記加湿空気吹出口が形成されると共に、前記水切り手段で発生した水を回収して貯水する貯水手段と、
前記貯水手段で貯められた水を排水する揚水手段とを備えた
ことを特徴とする請求項１記載の加湿装置。
【請求項５】
前記加湿風路に拡散された蒸気または霧を送風して、前記加湿空気吹出口から吹き出させる送風手段を備えた
ことを特徴とする請求項１，２，３または４記載の加湿装置。
【請求項６】
請求項１〜５に何れか記載の加湿装置と、
室内の暖房を少なくとも行う空調装置とを備えた
ことを特徴とする加湿空調システム。
【発明の詳細な説明】
【技術分野】
【０００１】
本発明は、浴室やシャワー室等の室内を加湿する加湿装置及びこの加湿装置を備えた加湿空調システムに関する。
【背景技術】
【０００２】
従来より、温水をミストとして浴室内に噴出し、浴室の加湿を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ノズルからミストを噴出して加湿を行う構成では、入浴者等が直接水滴を浴びることで体が濡れてしまい、発汗により体が濡れているのか、ミストの水滴で体が濡れているのか判断しにくい状況になってしまい、加湿による発汗を実感できない虞があった。
【０００５】
これに対して、超音波振動子により水を振動させて霧を発生させて空気を加湿する超音波加湿装置が提案されている（例えば、特許文献２参照）。また、ヒータで水を加熱して蒸気を発生させて空気を加湿する蒸気加湿装置も提案されている（例えば、特許文献３参照）。
【０００６】
超音波加湿装置や蒸気加湿装置では、入浴者等は直接水滴を浴び難くなって、加湿による発汗が実感しやすくなる。
【０００７】
【特許文献１】特公平６−５９３０１号公報
【特許文献２】特公平８−６１７７号公報
【特許文献３】特開２００２−２６７２１５号公報
【発明の開示】
【発明が解決しようとする課題】
【０００８】
浴室の加湿を行う空調装置は、蒸気や霧の吹出口を天井に設置して、浴室内が均一に加湿されるようにしている。しかし、吹出口から吹き出される蒸気や霧の一部は、吹出口への風路を送風されている間に液化し、吹出口から水滴が落下する虞があった。
【０００９】
本発明は、このような課題を解決するためになされたもので、蒸気や霧の吹出口からの水滴の落下を防ぐことができる加湿装置及びこの加湿装置を備えた加湿空調システムを提供することを目的とする。
【課題を解決するための手段】
【００１０】
上述した課題を解決するため、本発明の加湿装置は、水槽に貯められた水を水加熱手段により加熱して蒸気を発生させる蒸気加湿手段、または、水槽に貯められた水を超音波振動子により加振して霧を発生させる超音波加湿手段の何れかと、蒸気加湿手段で発生された蒸気または超音波加湿手段で発生された霧が送風される加湿風路と、加湿風路を送風される蒸気または霧が吹き出される加湿空気吹出口と、加湿風路を通る蒸気または霧の一部が液化することで、加湿風路から加湿空気吹出口へ流れる水を回収して機外に排水する水回収手段とを備えたことを特徴とする。
【００１１】
本発明の加湿装置では、蒸気加湿手段で発生させた蒸気または超音波加湿手段で発生させた霧が加湿風路を送風され、加湿空気吹出口から吹き出されることで室内が加湿される。
【００１２】
加湿風路を通る蒸気または霧の一部は液化して、加湿風路の壁面に水滴が付着する。加湿風路の壁面に付着した水滴は、加湿空気吹出口へと流れるが、加湿風路の壁面を流れる水滴は、水回収手段で回収されて機外に排水され、加湿空気吹出口から滴下しない。
【００１３】
本発明の加湿空調システムは、上述した加湿装置と、室内の暖房を少なくとも行う空調装置とを備えたことを特徴とする。
【００１４】
本発明の加湿空調システムでは、加湿装置は、上述したように、蒸気または霧が加湿風路を送風され、加湿空気吹出口から吹き出される。また、空調装置は、温風等が室内に吹き出される。これにより、室内が加湿暖房される。
【００１５】
加湿装置では、加湿風路を通る蒸気または霧の一部は液化して、加湿風路の壁面に水滴が付着する。加湿風路の壁面に付着した水滴は、加湿空気吹出口へと流れるが、加湿風路の壁面を流れる水滴は、水回収手段で回収されて機外に排水され、加湿空気吹出口から滴下しない。
【発明の効果】
【００１６】
本発明の加湿装置によれば、加湿風路を通る蒸気または霧の一部が液化することで発生した水を回収することができるので、加湿空気吹出口から水が落下することを防ぐことができる。
【００１７】
また、加湿風路内で発生した水を回収して機外に排水することができるので、機内での雑菌の発生を抑えることができる。
【００１８】
本発明の加湿空調システムによれば、加湿装置で蒸気または霧が室内に吹き出されると共に、空調装置で室内の暖房が行われることで、室内を短時間で加湿暖房しながら、加湿装置の加湿空気吹出口から水が落下することを防ぐことができる。
【発明を実施するための最良の形態】
【００１９】
以下、図面を参照して本発明の加湿装置及び加湿空調システムの実施の形態について説明する。
【００２０】
＜第１の実施の形態の加湿装置の構成例＞
図１は、第１の実施の形態の加湿装置の一例を示す構成図である。第１の実施の形態の加湿装置１Ａは、蒸気Ｖを発生させる加湿部１０Ａと、加湿部１０Ａで発生させた蒸気Ｖを送風して吹き出させる送風ファン部１１とを備える。
【００２１】
加湿部１０Ａは蒸気加湿手段の一例で、水Ｗを貯める水槽１２Ａと、水槽１２Ａに貯められた水Ｗを加熱して蒸気Ｖを発生させるヒータ１３Ａと、送風ファン部１１で循環させる空気が通る風路を形成し、ヒータ１３Ａの動作で発生させた蒸気Ｖが送風される加湿風路１４とを備える。
【００２２】
水槽１２Ａは、加湿風路１４に面して上部に開口を有すると共に、内部にヒータ１３Ａを備え、ヒータ１３Ａが駆動されると、水槽１２Ａに貯められた水Ｗが加熱されて気化し、水槽１２Ａの上部の加湿風路１４に蒸気Ｖが拡散される。
【００２３】
送風ファン部１１は送風手段の一例で、ファンモータ１５ａに回転駆動される多翼のファン１５と、風路を形成するファンケース１６を備える。ファンケース１６は、ファン１５が回転駆動されると、ファン１５の軸方向に形成されたファン吸込口１６ａから空気を吸い込み、加湿風路１４に吹き出す風路を形成する。
【００２４】
加湿装置１Ａは、水槽１２Ａに給水を行う給水機構１２ｓと、水槽１２Ａの排水を行う排水機構１２ｅと、水槽１２Ａ内の水位を検知する水位センサ１２ｗを備える。
【００２５】
給水機構１２ｓは、図示しない上水管と給水配管１２ｓｐを介してつながる給水口１２ｓｗを水槽１２Ａの上部に備える。また、給水機構１２ｓは、電磁弁等で構成され、水槽１２Ａへの水（上水）ＳＷの供給の有無を切り換える給水バルブ１２ｓｂを給水配管１２ｓｐに備える。
【００２６】
これにより、給水機構１２ｓでは、給水バルブ１２ｓｂを開くと、給水口１２ｓｗから水ＳＷが水槽１２Ａに供給される。
【００２７】
排水機構１２ｅは、図示しない排水管と排水配管１２ｅｐを介してつながる排水口１２ｅｗを水槽１２Ａの底面に備える。また、排水機構１２ｅは、電磁弁等で構成され、排水ＥＷの排出の有無を切り換える排水バルブ１２ｅｂを排水配管１２ｅｐに備える。
【００２８】
これにより、排水機構１２ｅでは、排水バルブ１２ｅｂを閉じると、水槽１２Ａに水Ｗが貯められる。また、排水バルブ１２ｅｂを開くと、水槽１２Ａ内の水Ｗが排水され、水槽１２Ａを空にすることも可能である。
【００２９】
水位センサ１２ｗは、水槽１２Ａ内にフロートを備え、フロートの位置で水槽１２Ａの水位を検知する。
【００３０】
加湿装置１Ａは、水位センサ１２ｗで検知された水槽１２Ａの水位に応じて給水バルブ１２ｓｂを開閉することで、水槽１２Ａ内の水位が制御される。例えば、水位センサ１２ｗの出力から、水槽１２Ａ内の水位が所定量まで下がったことを検知すると、給水バルブ１２ｓｂを開いて水槽１２Ａに給水する。また、水位センサ１２ｗの出力から、水槽１２Ａ内の水位が所定量まで上がったことを検知すると、給水バルブ１２ｓｂを閉じる。
【００３１】
加湿装置１Ａは、下面にフロントパネル１７を備える。フロントパネル１７は、送風ファン部１１のファン吸込口１６ａとつながる吸込口グリル１７ａと、加湿風路１４とつながり加湿空気吹出口を構成する吹出口グリル１７ｂを備える。
【００３２】
加湿装置１Ａは、フロントパネル１７の吹出口グリル１７ｂとつながって上側に位置する加湿風路１４の吹出口１４ａにドレンパン１８を備える。
【００３３】
図２は、ドレンパンの一例を示す構成図で、図２（ａ）は、ドレンパン１８の断面図、図２（ｂ）は、ドレンパン１８の斜視図である。
【００３４】
ドレンパン１８は水回収手段の一例で、加湿風路１４の壁面１４ｂから全周に亘って内側へ突出し、水滴の流れる方向に向いた上部が開口した溝部１８ａで構成され、加湿風路１４の壁面１４ｂを伝わって落ちる水滴を回収する。
【００３５】
これにより、ドレンパン１８の下側に位置する吹出口グリル１７ｂまで、水滴が流れない構成となっている。
【００３６】
また、ドレンパン１８は、排水配管１２ｅｐとつながるドレン口１８ｂを備える。ドレン口１８ｂは排水口の一例で、ドレンパン１８は、溝部１８ａで回収した水がドレン口１８ｂに流れるような傾斜を有し、ドレンパン１８で回収した水をドレン口１８ｂから機外へ排水できる構成となっている。
【００３７】
＜第２の実施の形態の加湿装置の構成例＞
図３は、第２の実施の形態の加湿装置の一例を示す構成図である。ここで、第２の実施の形態の加湿装置１Ｂにおいて、第１の実施の形態の加湿装置１Ａと同じ構成の部位については、同じ番号を付して説明する。
【００３８】
第２の実施の形態の加湿装置１Ｂは、霧Ｆを発生させる加湿部１０Ｂと、加湿部１０Ｂで発生させた霧Ｆを送風して吹き出させる送風ファン部１１とを備える。
【００３９】
加湿部１０Ｂは超音波加湿手段の一例で、水Ｗを貯める水槽１２Ａと、水槽１２Ａに貯められた水Ｗを加振して霧Ｆを発生させる超音波振動子１３Ｂと、送風ファン部１１で循環させる空気が通る風路を形成し、超音波振動子１３Ｂの動作で発生させた霧Ｆが送風される加湿風路１４とを備える。
【００４０】
水槽１２Ａは、加湿風路１４に面して上部に開口を有すると共に、底面に超音波振動子１３Ｂを備え、超音波振動子１３Ｂが駆動されると、水槽１２Ａに貯められた水Ｗが振動して表面から霧化し、水槽１２Ａの上部の加湿風路１４に霧Ｆが拡散される。
【００４１】
送風ファン部１１は、ファンモータ１５ａに回転駆動されるファン１５と、風路を形成するファンケース１６を備える。送風ファン部１１は、ファン１５が回転駆動されると、ファン１５の軸方向に形成されたファン吸込口１６ａから空気が吸い込まれ、ファン吸込口１６ａから吸い込まれた空気が加湿風路１４に吹き出されて、加湿風路１４に拡散された霧Ｆが送風される。
【００４２】
加湿装置１Ｂは、図示しない上水管と給水配管１２ｓｐを介してつながる給水口１２ｓｗを水槽１２Ａの上部に備えると共に、給水の有無を切り換える給水バルブ１２ｓｂを給水配管１２ｓｐに備えて、水槽１２Ａに給水を行う給水機構１２ｓを備える。
【００４３】
また、加湿装置１Ｂは、図示しない排水管と排水配管１２ｅｐを介してつながる排水口１２ｅｗを水槽１２Ａの底面に備えると共に、排水の有無を切り換える排水バルブ１２ｅｂを排水配管１２ｅｐに備えて、水槽１２Ａの排水を行う排水機構１２ｅを備える。
【００４４】
更に、加湿装置１Ｂは、水槽１２Ａ内にフロートを備え、フロートの位置で水槽１２Ａの水位を検知する水位センサ１２ｗを備える。
【００４５】
これにより、加湿装置１Ｂは、給水機構１２ｓで給水バルブ１２ｓｂを開くと、給水口１２ｓｗから水ＳＷが水槽１２Ａに供給される。また、排水機構１２ｅで排水バルブ１２ｅｂを閉じると、水槽１２Ａに水Ｗが貯められ、排水バルブ１２ｅｂを開くと、水槽１２Ａ内の水Ｗが排水される。更に、水位センサ１２ｗで検知された水槽１２Ａの水位に応じて給水バルブ１２ｓｂを開閉することで、水槽１２Ａ内の水位が保たれる。
【００４６】
加湿装置１Ｂは、送風ファン部１１のファン吸込口１６ａとつながる吸込口グリル１７ａと、加湿風路１４とつながる吹出口グリル１７ｂを備えたフロントパネル１７が下面に取り付けられる。
【００４７】
また、加湿装置１Ａは、フロントパネル１７の吹出口グリル１７ｂとつながって上側に位置する加湿風路１４の吹出口１４ａにドレンパン１８を備える。
【００４８】
ドレンパン１８は、図２で説明したように、加湿風路１４の壁面１４ｂから内側へ突出し、上部が開口した溝部１８ａが加湿風路１４の壁面１４ｂに沿って形成されており、加湿風路１４の壁面１４ｂを伝わって流れる水滴が回収される。
【００４９】
また、ドレンパン１８は、排水配管１２ｅｐとつながるドレン口１８ｂを備え、ドレンパン１８で回収した水がドレン口１８ｂから機外へ排水される。
【００５０】
＜本実施の形態の加湿空調システムの構成例＞
図４は、本実施の形態の加湿空調システムの一例を示す構成図で、次に、上述した加湿装置１（１Ａ，１Ｂ）を備えた加湿空調システムの構成及び加湿装置１の設置例について各図を参照して説明する。
【００５１】
加湿空調システム１００は、加湿装置１（加湿装置１Ａと加湿装置１Ｂの何れか）と、浴室空調装置２を備える。
【００５２】
加湿装置１は、浴室５１に設置される。浴室５１の天井パネル５１ａには、図１で説明したヒータを利用した形態の加湿装置１Ａまたは図３で説明した超音波振動子を利用した形態の加湿装置１Ｂの本体が入る開口部が形成され、加湿装置１は、フロントパネル１７が露出するようにして、天井裏から吊り下げる形態、あるいは天井パネル５１ａに固定する形態等で設置される。
【００５３】
浴室５１の天井パネル５１ａに取り付けられた加湿装置１は、給水配管１２ｓｐが図示しない上水管と接続され、排水配管１２ｅｐが図示しない排水管と接続される。
【００５４】
加湿装置１が設置された浴室５１には、加湿装置１との連動で浴室５１の加湿暖房を行う浴室空調装置２が設置される。浴室空調装置２は空調装置の一例で、ファンやヒータ等を備え、浴室５１の空気ＲＡを吸い込んで循環させて、温風ＨＡ等を吹き出す機能と、浴室５１から吸い込んだ空気ＥＡを屋外に排気する機能等を有する。
【００５５】
浴室５１の天井パネル５１ａには、浴室空調装置２の本体が入る開口部が形成され、浴室空調装置２は、空気が吸い込まれる吸込口グリルや空気が吹き出される吹出口グリルが形成されたフロントパネル２０が露出するようにして、天井裏から吊り下げる形態、あるいは天井パネル５１ａに固定する形態等で設置される。
【００５６】
浴室５１の天井パネル５１ａに取り付けられた浴室空調装置２は、図示しない排気口に排気ダクト２１が接続される。排気ダクト２１は、図示しない建物の外壁５２に取り付けた屋外グリル２１ａに接続され、浴室空調装置２で浴室５１等から吸い込んだ空気を、排気ダクト２１を介して屋外に排気できる構成となっている。
【００５７】
加湿装置１及び浴室空調装置２は、浴室５１に隣接した洗面脱衣所５３に設置された主操作部３で入浴者等の操作を受け、主操作部３で選択された運転モードが実行される。
【００５８】
例えば、主操作部３の所定の操作で、加湿装置１Ａを備えた構成では蒸気Ｖの吹き出し、または、加湿装置１Ｂを備えた構成では霧Ｆの吹き出しと、浴室空調装置２による暖房運転とを連動させて、浴室５１の加湿暖房を行う加湿暖房運転モードが実行される。
【００５９】
また、浴室空調装置２単体では、浴室空調装置２で循環風により温風ＨＡを吹き出して、浴室５１の暖房を行う暖房運転モードが実行される。また、浴室空調装置２で浴室５１内の空気を屋外に排出して、浴室５１の換気を行う換気運転モード、及び、所定時間で図示しない建物の空気が入れ替えられる風量で換気を行う２４時間換気運転モードが実行される。
【００６０】
更に、浴室空調装置２で循環風により温風ＨＡを吹き出しながら、浴室５１内の空気を屋外に排出して、浴室５１に干された衣類等の乾燥を行う乾燥運転モードと、浴室空調装置２で循環風により送風を吹き出す涼風運転モードが実行される。
【００６１】
ここで、図４に示す実施の形態の加湿空調システム１００では、加湿装置１と浴室空調装置２を独立した形態としたが、加湿装置と浴室空調装置を一体に構成しても良い。
【００６２】
＜各実施の形態の加湿装置及び加湿空調システムの動作例＞
次に、第１の実施の形態の加湿装置１Ａ及び第２の実施の形態の加湿装置１Ｂの動作例と、本実施の形態の加湿空調システム１００の動作例について、各図を参照して説明する。
【００６３】
加湿空調システム１００は、主操作部３の所定の操作で加湿暖房運転モードが選択されると、加湿装置１Ａを備えた構成では、例えば、まず、浴室空調装置２による暖房運転を行い、図示しない温度センサで検知された浴室５１の温度が所定温度に達したと判断した場合、または、暖房運転を開始してから所定時間が経過した場合等、浴室５１の状態が加湿に適した状態となると、浴室空調装置２の暖房運転は停止すると共に、加湿装置１Ａで蒸気Ｖを吹き出して、浴室５１の加湿暖房を行う加湿暖房運転モードが実行される。
【００６４】
また、加湿装置１Ｂを備えた構成では、例えば、まず、浴室空調装置２による暖房運転を行い、浴室５１の状態が加湿に適した状態となると、浴室空調装置２の暖房運転は継続すると共に、加湿装置１Ｂで霧Ｆを吹き出して、浴室５１の加湿暖房を行う加湿暖房運転モードが実行される。
【００６５】
加湿装置１Ａは、加湿暖房運転モードが実行されると、加湿部１０Ａのヒータ１３Ａが駆動されると共に、送風ファン部１１のファンモータ１５ａが駆動される。加湿装置１Ａでは、ヒータ１３Ａが駆動されると、水槽１２Ａに貯められた水Ｗが加熱されて蒸気Ｖが発生し、水槽１２Ａの上部の加湿風路１４へ拡散される。
【００６６】
また、加湿装置１Ａでは、ファンモータ１５ａが駆動されると、ファン１５が回転することで、フロントパネル１７の吸込口グリル１７ａからファン吸込口１６ａに空気ＲＡが吸い込まれる。
【００６７】
送風ファン部１１でファン吸込口１６ａから吸い込まれた空気は加湿風路１４に吹き出され、水槽１２Ａに貯められた水Ｗがヒータ１３Ａで加熱されることで発生した蒸気Ｖが送風されて、フロントパネル１７の吹出口グリル１７ｂから蒸気Ｖ及び蒸気Ｖで加湿された空気が吹き出される。
【００６８】
加湿装置１Ｂは、加湿暖房運転モードが実行されると、加湿部１０Ｂの超音波振動子１３Ｂが駆動されると共に、送風ファン部１１のファンモータ１５ａが駆動される。加湿装置１Ｂでは、超音波振動子１３Ｂが駆動されると、水槽１２Ａに貯められた水Ｗが加振されて霧Ｆが発生し、水槽１２Ａの上部の加湿風路１４へ拡散される。
【００６９】
また、加湿装置１Ｂでは、ファンモータ１５ａが駆動されると、ファン１５が回転することで、フロントパネル１７の吸込口グリル１７ａからファン吸込口１６ａに空気ＲＡが吸い込まれる。
【００７０】
送風ファン部１１でファン吸込口１６ａから吸い込まれた空気は加湿風路１４に吹き出され、水槽１２Ａに貯められた水Ｗが超音波振動子１３Ｂで加振されることで発生した霧Ｆが送風されて、フロントパネル１７の吹出口グリル１７ｂから霧Ｆ及び霧Ｆで加湿された空気が吹き出される。
【００７１】
さて、加湿部１０Ａで発生された蒸気Ｖまたは加湿部１０Ｂで発生された霧Ｆが加湿風路１４を通ると、蒸気Ｖまたは霧Ｆの一部は液化して加湿風路１４の壁面１４ｂに付着する水滴となる。加湿風路１４の壁面１４ｂに付着した水滴は、加湿風路１４の壁面１４ｂを伝わって、加湿風路１４の下方に位置する吹出口グリル１７ｂへ向けて流れる。
【００７２】
加湿風路１４の吹出口１４ａに備えられたドレンパン１８は、上部が開口した溝部１８ａが加湿風路１４の壁面１４ｂに沿って形成されており、加湿風路１４の壁面１４ｂを伝わって流れる水滴は、ドレンパン１８で回収される。
【００７３】
これにより、加湿風路１４を通る蒸気Ｖまたは霧Ｆの一部が液化することで加湿風路１４の壁面１４ｂに付着した水滴が、吹出口グリル１７ｂから滴下することが防止される。
【００７４】
また、ドレンパン１８で回収した水は、ドレン口１８ｂから排水配管１２ｅｐへ流れて機外へ排水される。これにより、ドレンパン１８で回収した水が機内に残ることによる雑菌の発生が抑制される。
【００７５】
＜各実施の形態の加湿装置の変形例＞
図５及び図６は、各実施の形態の加湿装置の変形例を示す要部構成図である。ここで、変形例の加湿装置１Ｃ，１Ｄにおいて、第１の実施の形態の加湿装置１Ａ及び第２の実施の形態の加湿装置１Ｂと同じ構成の部位については、同じ番号を付して説明する。
【００７６】
図５に示す加湿装置１Ｃは、加湿風路１４の吹出口１４ａに水切り部材４０を備える。水切り部材４０は水切り手段の一例で、加湿風路１４の吹出口１４ａの下方を塞ぎ、加湿風路１４を送風される蒸気Ｖまたは霧Ｆを水平方向に吹き出させる水切り風路４０ａが形成される。
【００７７】
また、加湿装置１Ｃは、水切り部材４０の下部に排水部材４１を備える。排水部材４１は排水手段の一例で、水切り風路４０ａとつながる室内吹出口４１ａと、水切り部材４０から受けた水を排水する排水口４１ｂを備える。
【００７８】
室内吹出口４１ａは加湿空気吹出口の一例で、水切り風路４０ａを送風される蒸気Ｖまたは霧Ｆの吹出方向に沿って、水切り部材４０の先端より突出した位置に形成される。
【００７９】
これにより、水切り部材４０の先端は室内吹出口４１ａより突出せず、水切り部材４０を流れる水が、室内吹出口４１ａから落下せず、排水部材４１で受けられる構成となっている。
【００８０】
排水口４１ｂは、図４に示す浴室５１の壁面５１ｂに沿って形成される。排水部材４１は、水切り部材４０から受けた水が排水口４１ｂに流れるような傾斜を有し、排水部材４１で回収した水を排水口４１ｂから浴室５１の壁面５１ｂに沿って排水できる構成となっている。
【００８１】
加湿装置１Ｃの動作について説明すると、図１で説明したヒータ１３Ａを備えた構成では、ヒータ１３Ａが駆動されると、水槽１２Ａに貯められた水Ｗが加熱されて蒸気Ｖが発生して、蒸気Ｖが加湿風路１４へ拡散される。また、図３で説明した超音波振動子１３Ｂを備えた構成では、超音波振動子１３Ｂが駆動されると、水槽１２Ａに貯められた水Ｗが加振されて霧Ｆが発生して、霧Ｆが加湿風路１４へ拡散される。
【００８２】
加湿風路１４に拡散された蒸気Ｖまたは霧Ｆは、図１等で説明した送風ファン部１１が駆動されることで吹き出される空気で送風され、加湿風路１４を送風される蒸気Ｖまたは霧Ｆは、水切り部材４０によって風向が曲げられて、水切り風路４０ａを通り室内吹出口４１ａから略水平方向に吹き出される。
【００８３】
さて、蒸気Ｖまたは霧Ｆが加湿風路１４を通ると、蒸気Ｖまたは霧Ｆの一部は液化して、加湿風路１４の壁面１４ｂに付着する水滴となる。また、加湿風路１４を送風されて水切り部材４０で風向が曲げられる蒸気Ｖまたは霧Ｆの一部も液化して、水切り部材４０に付着する水滴となる。
【００８４】
加湿風路１４の壁面１４ｂ及び水切り部材４０に付着した水滴の流れる経路を破線の矢印Ｍで示す。加湿風路１４の壁面１４ｂ及び水切り部材４０に付着した水滴は、水切り部材４０上を流れ、水切り部材４０の先端から排水部材４１に落下する。
【００８５】
水切り部材４０から排水部材４１に落下して回収された水は、排水部材４１上を排水口４１ｂへと流れ、排水口４１ｂから浴室５１の壁面５１ｂに沿って排水される。
【００８６】
これにより、水切り部材４０及び排水部材４１で水を回収して、機外に排水することができる。また、配管工事をすることなく、浴室５１内の目立たない箇所に排水することが可能となる。
【００８７】
ここで、水切り部材４０を備えずに、排水部材４１で蒸気Ｖまたは霧Ｆの一部を液化させると、排水部材４１の室内吹出口４１ａの近傍に水滴が付着し、室内吹出口４１ａから機外に落下する虞がある。
【００８８】
これに対して、加湿風路１４の吹出口１４ａに水切り部材４０を備えて、蒸気Ｖまたは霧Ｆの一部が水切り部材４０で液化されるようにすると共に、水切り部材４０の先端が室内吹出口４１ａより内側に位置するようにすると、室内吹出口４１ａの近傍に水滴が付着しにくくなり、かつ、水切り部材４０を流れる水も、室内吹出口４１ａから機外に落下しない。
【００８９】
図６に示す加湿装置１Ｄは、加湿風路１４の吹出口１４ａに水切り部材４０を備える。水切り部材４０は、加湿風路１４の吹出口１４ａの下方を塞ぎ、加湿風路１４を送風される蒸気Ｖまたは霧Ｆを水平方向に吹き出させる水切り風路４０ａが形成される。
【００９０】
また、加湿装置１Ｄは、水切り部材４０の下部に貯水部材４２を備える。貯水部材４２は貯水手段の一例で、水切り風路４０ａとつながる室内吹出口４２ａと、水切り部材４０から受けた水を貯める貯水部４２ｂを備える。
【００９１】
更に、加湿装置１Ｄは、貯水部材４２の貯水部４２ｂに貯められた水を排出するポンプ４３を備える。
【００９２】
室内吹出口４２ａは加湿空気吹出口の一例で、水切り風路４０ａを送風される蒸気Ｖまたは霧Ｆの吹出方向に沿って、水切り部材４０の先端より突出した位置に形成される。
【００９３】
これにより、水切り部材４０の先端は室内吹出口４２ａより突出せず、水切り部材４０を流れる水が、室内吹出口４２ａから落下せず、貯水部材４２で受けられる構成となっている。
【００９４】
貯水部材４２は、水切り部材４０から受けた水が貯水部４２ｂに流れるような傾斜を有し、貯水部材４２で回収した水を室内吹出口４２ａ方向に流さずに、貯水部４２ｂで貯水できる構成となっている。
【００９５】
ポンプ４３は揚水手段の一例で、貯水部材４２の貯水部４２ｂに吸込口４３ａが配置され、ポンプ４３が駆動されると、貯水部４２ｂに貯められた水が吸い上げられて、図示しない排水管等に排水される構成となっている。
【００９６】
加湿装置１Ｄの動作について説明すると、図１で説明したヒータ１３Ａを備えた構成では、ヒータ１３Ａが駆動されると、水槽１２Ａに貯められた水Ｗが加熱されて蒸気Ｖが発生して、蒸気Ｖが加湿風路１４へ拡散される。また、図３で説明した超音波振動子１３Ｂを備えた構成では、超音波振動子１３Ｂが駆動されると、水槽１２Ａに貯められた水Ｗが加振されて霧Ｆが発生して、霧Ｆが加湿風路１４へ拡散される。
【００９７】
加湿風路１４に拡散された蒸気Ｖまたは霧Ｆは、図１等で説明した送風ファン部１１が駆動されることで吹き出される空気で送風され、加湿風路１４を送風される蒸気Ｖまたは霧Ｆは、水切り部材４０によって風向が曲げられて、水切り風路４０ａを通り室内吹出口４２ａから略水平方向に吹き出される。
【００９８】
さて、蒸気Ｖまたは霧Ｆが加湿風路１４を通ると、蒸気Ｖまたは霧Ｆの一部は液化して、加湿風路１４の壁面１４ｂに付着する水滴となる。また、加湿風路１４を送風されて水切り部材４０で風向が曲げられる蒸気Ｖまたは霧Ｆの一部も液化して、水切り部材４０に付着する水滴となる。
【００９９】
加湿風路１４の壁面１４ｂ及び水切り部材４０に付着した水滴は、水切り部材４０上を流れ、水切り部材４０の先端から貯水部材４２に落下する。水切り部材４０の先端は、室内吹出口４２ａより内側に入り込んで機外には突出しておらず、水切り部材４０を流れる水は、室内吹出口４２ａから機外に落下しない。
【０１００】
水切り部材４０から貯水部材４２に落下して回収された水は、貯水部材４２の傾斜によって貯水部４２ｂに貯水される。ポンプ４３は、例えば一定間隔毎に駆動され、貯水部４２ｂに貯められた水ＥＷを吸い上げて、図示しない排水管等に排水する。
【０１０１】
これにより、水切り部材４０及び貯水部材４２で水を回収して、機外に排水することができる。
【０１０２】
上述した各実施の形態の加湿装置では、送風ファン部１１を備えて蒸気Ｖまたは霧Ｆを送風するようにした。これに対して、加湿装置には送風ファン部を備えずに、図４に示す浴室空調装置２と加湿装置を空気が通るダクトで接続して、浴室空調装置２からの送風で蒸気Ｖまたは霧Ｆが吹き出されるようにしても良い。
【産業上の利用可能性】
【０１０３】
本発明は、浴室やシャワー室等の加湿暖房を行う加湿空調システムに適用される。
【図面の簡単な説明】
【０１０４】
【図１】第１の実施の形態の加湿装置の一例を示す構成図である。
【図２】ドレンパンの一例を示す構成図である。
【図３】第２の実施の形態の加湿装置の一例を示す構成図である。
【図４】本実施の形態の加湿空調システムの一例を示す構成図である。
【図５】各実施の形態の加湿装置の変形例を示す要部構成図である。
【図６】各実施の形態の加湿装置の変形例を示す要部構成図である。
【符号の説明】
【０１０５】
１Ａ，１Ｂ，１Ｃ，１Ｄ・・・加湿装置、２・・・浴室空調装置、１０Ａ，１０Ｂ・・・加湿部、１１・・・送風ファン部、１３Ａ・・・ヒータ、１３Ｂ・・・超音波振動子、１４・・・加湿風路、１４ｂ・・・壁面、１７・・・フロントパネル、１７ｂ・・・吹出口グリル、１８・・・ドレンパン、４０・・・水切り部材、４１・・・排水部材、４１ａ・・・室内吹出口、４１ｂ・・・排水口、４２・・・貯水部材、４２ａ・・・室内吹出口、４２ｂ・・・貯水部、４３・・・ポンプ、１００・・・加湿空調システム
【図１】
2008180469.tif 000003
【図２】
2008180469.tif 000004
【図３】
2008180469.tif 000005
【図４】
2008180469.tif 000006
【図５】
2008180469.tif 000007
【図６】
2008180469.tif 000008